(57)【特許請求の範囲】
【請求項１】
圧力容器（Ｔ）に連通する圧力室（１８）を形成するハウジング（１９）と、
前記圧力室（１８）の圧力が正圧側の開弁圧以上まで上昇したときに開弁する正圧リリーフ弁（２０）と、
前記圧力室（１８）の圧力が負圧側の開弁圧以下まで低下したときに開弁する負圧リリーフ弁（２１）と、
前記正圧リリーフ弁（２０）の開弁圧を調整する正圧開弁圧調整手段（２２）と、
前記負圧リリーフ弁（２１）の開弁圧を調整する負圧開弁圧調整手段（２３）とを備え、
前記ハウジング（１９）は、一端側が開口するハウジング本体（２５）と、このハウジング本体（２５）の内部に配設されて前記圧力室（１８）の一面を区画する弁プレート（２６）とを有し、この弁プレート（２６）に前記圧力室（１８）に通じる第１の弁口（３１）と第２の弁口（３２）とが形成され、
前記正圧リリーフ弁（２０）は、前記弁プレート（２６）に対し反圧力室側に配置されるとともに前記正圧側の開弁圧を設定する正圧スプリング（３４）を有し、前記圧力室（１８）の圧力が前記正圧側の開弁圧以上まで上昇したときに前記第１の弁口（３１）を開弁し、
前記負圧リリーフ弁（２１）は、前記弁プレート（２６）に対し前記圧力室側に配置されるとともに前記負圧側の開弁圧を設定する負圧スプリング（３７）を有し、前記圧力室（１８）の圧力が前記負圧側の開弁圧以下まで低下したときに前記第２の弁口（３２）を開弁するリリーフ弁装置であって、
前記ハウジング（１９）は、前記弁プレート（２６）より前記ハウジング本体（２５）の一端側に配置される台座プレート（４０）を有し、この台座プレート（４０）が前記ハウジング本体（２５）に対し進退可能に組みつけられ、且つ、前記弁プレート（２６）が前記台座プレート（４０）と一体に、もしくは、前記台座プレート（４０）の進退に追従して前記負圧スプリング（３７）の伸縮方向に移動可能に配設され、
前記正圧開弁圧調整手段（２２）は、前記台座プレート（４０）にねじ結合される調整ネジ（４１）を有し、前記正圧リリーフ弁（２０）の閉弁時に、前記台座プレート（４０）に対する前記調整ネジ（４１）のねじ込み量に応じて前記正圧スプリング（３４）のセット荷重を調整し、
前記負圧開弁圧調整手段（２３）は、前記負圧リリーフ弁（２１）の閉弁時に、前記ハウジング本体（２５）に対して前記台座プレート（４０）を進退させることで、前記弁プレート（２６）を介して前記負圧スプリング（３７）のセット荷重を調整することを特徴とするリリーフ弁装置。
【請求項２】
圧力容器（Ｔ）に連通する圧力室（１８）を形成するハウジング（１９）と、
前記圧力室（１８）の圧力が正圧側の開弁圧以上まで上昇したときに開弁する正圧リリーフ弁（２０）と、
前記圧力室（１８）の圧力が負圧側の開弁圧以下まで低下したときに開弁する負圧リリーフ弁（２１）と、
前記正圧リリーフ弁（２０）の開弁圧を調整する正圧開弁圧調整手段（２２）と、
前記負圧リリーフ弁（２１）の開弁圧を調整する負圧開弁圧調整手段（２３）とを備え、
前記ハウジング（１９）は、一端側が開口するハウジング本体（２５）と、このハウジング本体（２５）の内部に配設されて前記圧力室（１８）の一面を区画する弁プレート（２６）とを有し、この弁プレート（２６）に前記圧力室（１８）に通じる第１の弁口（３１）と第２の弁口（３２）とが形成され、
前記正圧リリーフ弁（２０）は、前記弁プレート（２６）に対し反圧力室側に配置されるとともに前記正圧側の開弁圧を設定する正圧スプリング（３４）を有し、前記圧力室（１８）の圧力が前記正圧側の開弁圧以上まで上昇したときに前記第１の弁口（３１）を開弁し、
前記負圧リリーフ弁（２１）は、前記弁プレート（２６）に対し前記圧力室側に配置されるとともに前記負圧側の開弁圧を設定する負圧スプリング（３７）を有し、前記圧力室（１８）の圧力が前記負圧側の開弁圧以下まで低下したときに前記第２の弁口（３２）を開弁するリリーフ弁装置であって、
前記ハウジング（１９）は、前記弁プレート（２６）より前記ハウジング本体（２５）の一端側に配置される台座プレート（４０）を有し、この台座プレート（４０）が前記ハウジング本体（２５）に対し進退可能に組みつけられ、且つ、前記弁プレート（２６）が前記台座プレート（４０）と一体に、もしくは、前記台座プレート（４０）の進退に追従して前記正圧スプリング（３４）の伸縮方向に移動可能に配設され、
前記正圧開弁圧調整手段（２２）は、前記正圧リリーフ弁（２０）の閉弁時に、前記ハウジング本体（２５）に対して前記台座プレート（４０）を進退させることで、前記弁プレート（２６）を介して前記正圧スプリング（３４）のセット荷重を調整し、
前記負圧開弁圧調整手段（２３）は、前記台座プレート（４０）にねじ結合される調整ネジ（４１）を有し、前記負圧リリーフ弁（２１）の閉弁時に、前記台座プレート（４０）に対する前記調整ネジ（４１）のねじ込み量に応じて前記負圧スプリング（３７）のセット荷重を調整することを特徴とするリリーフ弁装置。
【請求項３】
請求項１または２に記載のリリーフ弁装置において、
前記第１の弁口（３１）と前記第２の弁口（３２）とは前記弁プレート（２６）を貫通する穴として設けられ、
前記正圧リリーフ弁（２０）は、前記第１の弁口（３１）を開閉する第１の弁体（３３）を有し、前記第１の弁体（３３）が前記正圧スプリング（３４）によって閉方向に付勢されており、
前記負圧リリーフ弁（２１）は、前記第２の弁口（３２）を開閉する第２の弁体（３６）を有し、前記第２の弁体（３６）が前記負圧スプリング（３７）によって閉方向に付勢されていることを特徴とするリリーフ弁装置。
【請求項４】
請求項１に記載のリリーフ弁装置において、
前記第１の弁口（３１）は、前記弁プレート（２６）を貫通する穴として設けられ、
前記第２の弁口（３２）は、前記ハウジング本体（２５）の内周面と前記弁プレート（２６）の外周面との間に形成されて前記圧力室（１８）に通じる隙間として設けられ、
前記正圧リリーフ弁（２０）は、前記第１の弁口（３１）を開閉する第１の弁体（３３）を有し、前記第１の弁体（３３）が前記正圧スプリング（３４）によって閉方向に付勢されており、
前記負圧リリーフ弁（２１）は、前記弁プレート（２６）が前記第２の弁口（３２）を開閉する第２の弁体（３６）として機能し、前記弁プレート（２６）が前記負圧スプリング（３７）によって閉方向に付勢されていることを特徴とするリリーフ弁装置。
【請求項５】
請求項２に記載のリリーフ弁装置において、
前記第１の弁口（３１）は、前記ハウジング本体（２５）の内周面と前記弁プレート（２６）の外周面との間に形成されて前記圧力室（１８）に通じる隙間として設けられ、
前記第２の弁口（３２）は、前記弁プレート（２６）を貫通する穴として設けられ、
前記正圧リリーフ弁（２０）は、前記弁プレート（２６）が前記第１の弁口（３１）を開閉する第１の弁体（３３）として機能し、前記弁プレート（２６）が前記正圧スプリング（３４）によって閉方向に付勢されており、
前記負圧リリーフ弁（２１）は、前記第２の弁口（３２）を開閉する第２の弁体（３６）を有し、前記第２の弁体（３６）が前記負圧スプリング（３７）によって閉方向に付勢されていることを特徴とするリリーフ弁装置。
【発明の詳細な説明】
【技術分野】
【０００１】
本発明は、空間の圧力を適正圧力範囲に保つためのリリーフ弁装置に関する。例えば、燃料タンク密閉弁に用いられるリリーフ弁装置に関する。
【背景技術】
【０００２】
従来より、燃料タンク密閉弁として、燃料タンク内の圧力を適正圧力に保つために正圧リリーフ弁と負圧リリーフ弁とを備えるものがある（特許文献１参照）。
燃料タンク内の圧力は、燃料の気化に伴って正圧になる場合と、気化した燃料の液化に伴って負圧になる場合がある。そこで、燃料タンクの保護を目的として、燃料タンク内の圧力を適正圧力に保つため、正圧リリーフ弁と負圧リリーフ弁とを設けている。
【０００３】
ところで、正圧リリーフ弁及び負圧リリーフ弁は、それぞれ、リリーフスプリングにより弁体を閉弁方向へ付勢する構成であるため、開弁圧（すなわちリリーフ圧）はリリーフスプリングのセット荷重によって決まる。しかし、リリーフスプリングに公差があるため、同じセット長にしても、セット荷重がばらつき、目標の開弁圧が得られない場合がある。
そこで、開弁圧を目標圧に設定するため、リリーフスプリングのセット荷重を調整する調整機構を設ける必要が生じる。
【先行技術文献】
【特許文献】
【０００４】
【特許文献１】米国特許出願公開第２０１０／０２６９９２１号明細書
【発明の概要】
【発明が解決しようとする課題】
【０００５】
しかしながら、特許文献１の技術では、正圧リリーフ弁のリリーフスプリングを受けるばね受け部と負圧リリーフ弁のリリーフスプリングを受けるばね受け部とがハウジングの反対方向に位置するため、リリーフスプリングを調整する機構としてばね受け部の位置を調整する機構を採用する場合、各リリーフ弁の調整作業を異なる方向から行わなければならず調整作業が煩雑となる。
すなわち、一方のリリーフスプリングの調整を行った後に、ハウジングを反転させて他方のリリーフスプリングの調整を行わなければならない。
【０００６】
そこで、本発明は、上記の問題点を解決するためになされたものであり、その目的は、正圧リリーフ弁及び負圧リリーフ弁を有するリリーフ弁装置において、各リリーフ弁の開弁圧の調整作業を容易にすることにある。
【課題を解決するための手段】
【０００７】
本発明のリリーフ弁装置は、圧力容器に連通する圧力室を形成するハウジングと、圧力室の圧力が正圧側の開弁圧以上まで上昇したときに開弁する正圧リリーフ弁と、圧力室の圧力が負圧側の開弁圧以下まで低下したときに開弁する負圧リリーフ弁と、正圧リリーフ弁の開弁圧を調整する正圧開弁圧調整手段と、負圧リリーフ弁の開弁圧を調整する負圧開弁圧調整手段とを備える。
【０００８】
ハウジングは、一端側が開口するハウジング本体と、このハウジング本体の内部に配設されて圧力室の一面を区画する弁プレートとを有し、この弁プレートに圧力室に通じる第１の弁口と第２の弁口とが形成されている。
【０００９】
正圧リリーフ弁は、弁プレートに対し反圧力室側に配置されるとともに正圧側の開弁圧を設定する正圧スプリングを有し、圧力室の圧力が正圧側の開弁圧以上まで上昇したときに第１の弁口を開弁する。
負圧リリーフ弁は、弁プレートに対し圧力室側に配置されるとともに負圧側の開弁圧を設定する負圧スプリングを有し、圧力室の圧力が負圧側の開弁圧以下まで低下したときに第２の弁口を開弁する。
【００１０】
請求項１の手段では、ハウジングは、弁プレートよりハウジング本体の一端側に配置される台座プレートを有し、この台座プレートがハウジング本体に対し進退可能に組みつけられ、且つ、弁プレートが台座プレートと一体に、もしくは、台座プレートの進退に追従して負圧スプリングの伸縮方向に移動可能に配設される。
正圧開弁圧調整手段は、台座プレートにねじ結合される調整ネジを有し、正圧リリーフ弁の閉弁時に、台座プレートに対する調整ネジのねじ込み量に応じて正圧スプリングのセット荷重を調整する。
そして、負圧開弁圧調整手段は、負圧リリーフ弁の閉弁時に、ハウジング本体に対して台座プレートを進退させることで、弁プレートを介して負圧スプリングのセット荷重を調整する。
【００１１】
請求項２の手段では、ハウジングは、弁プレートよりハウジング本体の一端側に配置される台座プレートを有し、この台座プレートがハウジング本体に対し進退可能に組みつけられ、且つ、弁プレートが台座プレートと一体に、もしくは、台座プレートの進退に追従して正圧スプリングの伸縮方向に移動可能に配設される。
正圧開弁圧調整手段は、正圧リリーフ弁の閉弁時に、ハウジング本体に対して台座プレートを進退させることで、弁プレートを介して正圧スプリングのセット荷重を調整する。
負圧開弁圧調整手段は、台座プレートにねじ結合される調整ネジを有し、負圧リリーフ弁の閉弁時に、台座プレートに対する調整ネジのねじ込み量に応じて負圧スプリングのセット荷重を調整する。
【００１２】
本発明によれば、正圧開弁圧及び負圧開弁圧の調整を台座プレート側から行うことが可能となる。
したがって、正圧リリーフ弁及び負圧リリーフ弁を有するリリーフ弁装置において、各リリーフ弁の開弁圧の調整作業を容易にすることができる。
【図面の簡単な説明】
【００１３】
【図１】リリーフ弁装置が適用されてタンク密閉弁の概要図である（実施例１）。
【図２】タンク密閉弁の全体構成図である（実施例１）。
【図３】リリーフ弁装置の全体構成図である（実施例１）。
【図４】リリーフ弁装置の開弁圧調整についての説明図である（実施例１）。
【図５】正圧リリーフ弁開弁時のリリーフ弁装置の説明図である（実施例１）。
【図６】負圧リリーフ弁開弁時のリリーフ弁装置の説明図である（実施例１）。
【図７】リリーフ弁装置の全体構成図である（実施例２）。
【図８】正圧リリーフ弁開弁時のリリーフ弁装置の説明図である（実施例３）。
【図９】負圧リリーフ弁開弁時のリリーフ弁装置の説明図である（実施例３）。
【発明を実施するための形態】
【００１４】
本発明を実施するための形態を以下の実施例により詳細に説明する。
【実施例】
【００１５】
〔実施例１の構成〕
実施例１のリリーフ弁装置１の構成を、図１〜５を用いて説明する。
本実施例のリリーフ弁装置１は、例えば、蒸発燃料蒸散防止装置のタンク密閉弁２に使用される。
【００１６】
タンク密閉弁２は、図１に示すように、ガソリン等の燃料を蓄える燃料タンクＴ（圧力容器）と、気化燃料の吸着を行うキャニスタＣとを連通する配管途中に接続されている。
【００１７】
タンク密閉弁２は、燃料タンクＴに接続する第１ポート４と、キャニスタＣに接続する第２ポート５と、第１ポート４と第２ポート５との間を開閉する電磁弁６と、燃料タンク内の圧力状態に応じて第１ポート４と第２ポート５との間を開閉するリリーフ弁装置１とを備える。
【００１８】
電磁弁６は、第１ポート４と第２ポート５との間に設けられた弁孔８を開閉する弁体９と、弁体９を閉弁方向に付勢するリターンスプリング１０と、弁体９をリターンスプリング１０の付勢力に抗して駆動するための電磁アクチュエータ１１とを備える。
電磁アクチュエータ１１は、例えば、通電により磁力を発生するコイル１２と、弁体９と一体に移動する可動子１３と、コイル１２の発生する磁力により可動子１３を吸引磁力する固定子１４とを有している。
【００１９】
リリーフ弁装置１は、第１ポート４に連通する圧力室１８を形成するハウジング１９と、圧力室１８の圧力が正圧側の開弁圧以上まで上昇したときに開弁する正圧リリーフ弁２０と、圧力室１８の圧力が負圧側の開弁圧以下まで低下したときに開弁する負圧リリーフ弁２１と、正圧リリーフ弁２０の開弁圧を調整する正圧開弁圧調整手段２２と、負圧リリーフ弁２１の開弁圧を調整する負圧開弁圧調整手段２３とを備える。
【００２０】
ハウジング１９は、有底筒状を呈して一端側が開口するハウジング本体２５と、このハウジング本体２５の内部に配設されて圧力室１８の一面を区画する弁プレート２６とを有している。
なお、本実施例では、ハウジング１９は、電磁弁６によって開閉される弁孔８の燃料タンク側に圧力室１８が配されるように組みつけられており、ハウジング１９は、第１ポート４と圧力室１８とを連通する開口２８と開口２９とを有する。
【００２１】
開口２８は、ハウジング１９の第１ポート側に開口しており、開口２８によって第１ポート４と圧力室１８とが連通している。
開口２９は弁孔８の第１ポート側の空間に連通するように開口しており、第１ポート４を形成する配管の内周面とハウジング１９との間の隙間Ｘ、及び開口２９によって圧力室１８と第１ポート４とが連通している。
【００２２】
また、弁プレート２６の反圧力室側には、第２ポート５に連通する空間３０が形成されている。
そして、弁プレート２６には、圧力室１８と空間３０とを連通する第１の弁口３１と第２の弁口３２とが形成されている。本実施例では、第１の弁口３１と第２の弁口３２とは弁プレート２６を貫通する穴として設けられている。
【００２３】
正圧リリーフ弁２０は、弁プレート２６に対し反圧力室側に配置されており、第１の弁口３１を開閉する第１の弁体３３と、第１の弁体３３を閉方向に付勢する正圧スプリング３４とを有する。
正圧スプリング３４は、一端が第１の弁体３３に形成されたバネ受け部３３ａに係止され、他端はバネ受け部材３５によって係止されている。
そして、正圧スプリング３４によって正圧側の開弁圧が設定され、圧力室１８の圧力が正圧側の開弁圧以上まで上昇したときに第１の弁口３１を開弁する。
【００２４】
負圧リリーフ弁２１は、第２の弁口３２を開閉する第２の弁体３６と、第２の弁体３６を閉方向に付勢する負圧スプリング３７とを有する。
負圧スプリング３７は、一端が第２の弁体３６に形成されたバネ受け部３６ａに係止され、他端はハウジング本体２５の底部に係止されている。
そして、負圧スプリング３７によって負圧側の開弁圧が設定され、圧力室１８の圧力が負圧側の開弁圧以下まで低下したときに第２の弁口３２を開弁する。
【００２５】
また、ハウジング１９は、弁プレート２６よりハウジング本体２５の一端側に配置される台座プレート４０を有し、この台座プレート４０がハウジング本体２５に対し進退可能に組みつけられている。
そして、弁プレート２６が台座プレート４０と一体に負圧スプリング３７の伸縮方向に移動可能に配設されている。
正圧開弁圧調整手段２２は、台座プレート４０にねじ結合される調整ネジ４１を有し、正圧リリーフ弁２０の閉弁時に、台座プレート４０に対する調整ネジ４１のねじ込み量に応じて正圧スプリング３４のセット荷重を調整する。
負圧開弁圧調整手段２３は、負圧リリーフ弁２１の閉弁時に、ハウジング本体２５に対して台座プレート４０を進退させることで、弁プレート２６を介して負圧スプリング３７のセット荷重を調整する。
【００２６】
すなわち、図３に示すように、弁プレート２６には、一端側に弁プレート２６と一体に筒状に延びる筒部４２が設けられており、筒部４２の反弁プレート側の端部に台座プレート４０が例えば溶接等にて固定されている。そして、弁プレート２６と台座プレート４０との間の空間３０に、正圧リリーフ弁２０が配置されており、バネ受け部材３５は、台座プレート４０と正圧スプリング３４との間に配される。
台座プレート４０には、空間３０と第２ポート５とを連通する連通路４４が形成されている。
【００２７】
そして、筒部４２の外周には雄ねじ部４２ａが形成されており、ハウジング本体２５の内周面に形成された雌ねじ部２５ａにねじ結合している。なお、台座プレート４０には、反プレート側の端面に六角形の六角凹所４０ａが形成されている。この六角凹所４０ａは六角レンチ等の工具によって台座プレート４０を回すために用いられる。これによれば、台座プレート４０を回転させることにより一体的に筒部４２がねじ回しされ、ハウジング本体２５に対して台座プレート４０と弁プレート２６とが進退する。
これにより、弁プレート２６とハウジング本体２５の底部との距離を調整できるため、負圧スプリング３７のセット荷重を調整することで、負圧リリーフ弁２１の開弁圧を調整することができる。
【００２８】
また、台座プレート４０には、六角凹所４０ａの底部に空間３０に向けて貫通するねじ穴４０ｂが形成されており、このねじ穴に調整ネジ４１が進退可能にねじ結合されている。本実施例では、調整ネジ４１として例えば六角穴付きのねじが用いられている。
【００２９】
ねじ穴４０ｂ及び調整ネジ４１は、バネ受け部材３５に当接可能な位置に設けられており、調整ネジ４１のねじ込み量によってバネ受け部材３５を進退させることで、正圧スプリング３４を伸縮させることができる。
これにより、台座プレート４０に対する調整ネジ４１のねじ込み量に応じて正圧スプリング３４のセット荷重を調整することで、正圧リリーフ弁２０の開弁圧を調整することができる。
【００３０】
〔本実施例リリーフ弁装置の開弁圧調整操作〕
正圧リリーフ弁２０の開弁圧を調整したい場合は、正圧リリーフ弁２０が閉弁状態のときにハウジング１９の台座プレート４０側から調整ネジ４１を回す。
負圧リリーフ弁２１の開弁圧を調整したい場合は、負圧リリーフ弁２１が閉弁状態のときに六角凹所４０ａを介して台座プレート４０を回す。
図４は、図３の状態から上記の調整操作を行って弁プレート２６及びバネ受け部材３５を進退させた後の状態を示す。
【００３１】
〔リリーフ弁装置の作動〕
図５に正圧リリーフ弁２０の作動について、図６に負圧リリーフ弁２１の作動について示す。
燃料タンクＴに正圧リリーフ弁２０の開弁圧以上の正圧が生じると、第１の弁体３３が第１の弁口３１を開き、第１ポート４（燃料タンク側）から、開口２８及び２９、圧力室１８、第１の弁口３１、空間３０、連通路４４を経て、第２ポート５（キャニスタ側）へと流体がながれ、燃料タンクＴ内の圧力を低下させることができる。
また、燃料タンクＴに負圧リリーフ弁２１の開弁圧以上の正圧が生じると、第２の弁体３６が第２の弁口３２を開き、第２ポート５（キャニスタ側）から、連通路４４、空間３０、第２の弁口３２、圧力室１８、開口２８及び２９を経て、第１ポート４（燃料タンク側）へ流体が導かれ、燃料タンクＴ内の圧力を上昇させることができる。
【００３２】
〔実施例１の作用効果〕
本実施例によれば、正圧開弁圧及び負圧開弁圧の調整を台座プレート側から行うことが可能となる。
したがって、正圧リリーフ弁２０及び負圧リリーフ弁２１を有するリリーフ弁装置において、各リリーフ弁の開弁圧の調整作業を容易にすることができる。
【００３３】
〔実施例２〕
実施例２を、実施例１とは異なる点を中心に、図７を用いて説明する。
なお、実施例１と同じ符号は、同一の構成を示すものであって、先行する説明を参照する。
本実施例では、実施例１の開口２８及び２９が第２ポート５（キャニスタ側）に連通しており、連通路４４が第１ポート４（タンク側）に連通している。
このため、圧力室１８は、弁プレート２６の台座プレート側の空間となり、弁プレート２６の台座プレート４０側のリリーフ弁が負圧リリーフ弁２１となり、弁プレート２６の台座プレート４０と反対側のリリーフ弁が正圧リリーフ弁２０となる。
このため、バネ受け部材３５は負圧スプリング３７を係止するものとなり、ハウジング本体２５の底部は正圧スプリング３４を係止するものとなる。
【００３４】
〔本実施例リリーフ弁装置の開弁圧調整操作〕
正圧リリーフ弁２０の開弁圧を調整したい場合は、正圧リリーフ弁２０が閉弁状態のときに六角凹所４０ａを介して台座プレート４０を回す。
負圧リリーフ弁２１の開弁圧を調整したい場合は、負圧リリーフ弁２１が閉弁状態のときにハウジング１９の台座プレート４０側から調整ネジ４１を回す。
本実施例によっても、実施例１と同様の作用効果を得ることができる。
図４は、図３の状態から上記の調整操作を行って弁プレート２６及びバネ受け部材３５を進退させた後の状態を示す。
【００３５】
〔実施例３〕
実施例３を、実施例１とは異なる点を中心に、図８を用いて説明する。
なお、実施例１と同じ符号は、同一の構成を示すものであって、先行する説明を参照する。
【００３６】
本実施例では、弁プレート２６が負圧リリーフ弁２１の弁体として機能する。
つまり、第２の弁口３２が、ハウジング本体２５の内周面と弁プレート２６の外周面との間に形成されて圧力室１８に通じる隙間として設けられ、負圧リリーフ弁２１は、弁プレート２６が第２の弁口３２を開閉する第２の弁体３６として機能し、弁プレート２６が負圧スプリング３７によって閉方向に付勢されている。
【００３７】
図８に示すように、本実施例では、弁プレート２６と筒部４２が別体となっており、筒部４２と台座プレート４０が一体となっている。すなわち、筒部４２と台座プレート４０とで、弁プレート２６側に開口する有底筒状の部材をなしており、この部材の開口に弁プレート２６が配されている。弁プレート２６の外径は、ハウジング本体２５の内径よりも小さく、弁プレート２６の外周とハウジング本体２５の内周との間には隙間が形成されている。この隙間が第２の弁口３２となる。
【００３８】
そして、筒部４２の弁プレート側の端部にはシール部４２ｂが設けられ、弁プレート２６が離着座可能となっており、弁プレート２６が負圧スプリング３７の付勢力によりシール部４２ｂに着座した状態が、第２の弁口３２は閉じられた状態であり、弁プレート２６がシール部４２ｂから離座している状態が、第２の弁口３２は開かれた状態である。
【００３９】
〔リリーフ弁装置の作動〕
図８に正圧リリーフ弁２０の作動について、図９に負圧リリーフ弁２１の作動について示す。
燃料タンクＴに正圧リリーフ弁２０の開弁圧以上の正圧が生じると、第１の弁体３３が第１の弁口３１を開き、第１ポート４から、開口２８及び２９、圧力室１８、第１の弁口３１、空間３０、連通路４４を経て、第２ポート５（キャニスタ側）へと流体がながれ、燃料タンクＴ内の圧力を低下させることができる。
また、燃料タンクＴに負圧リリーフ弁２１の開弁圧以上の正圧が生じると、第２の弁体３６である弁プレート２６が第２の弁口３２を開き、第２ポート５から、連通路４４、空間３０、第２の弁口３２、圧力室１８、開口２８及び２９を経て、第１ポート４へ流体が導かれ、燃料タンクＴ内の圧力を上昇させることができる。
【００４０】
本実施例によっても、実施例１と同様の操作で正圧リリーフ弁２０と負圧リリーフ弁２１の開弁圧の調整をすることができる。これにより、実施例１と同様の作用効果を奏する。
なお、本実施例では、弁プレート２６と台座プレート４０とは固定されていないため、弁プレート２６は台座プレート４０の進退に追従して移動可能に配設されている。つまり、弁プレート２６を台座プレート４０側へ移動させる動作では、負圧スプリング３７の付勢力によって弁プレート２６が筒部４２に当接した状態のまま、台座プレート４０の進退に追従して移動する。
また、本実施例では、弁プレート２６が負圧リリーフ弁２１の弁体を兼ねるため、部品点数を削減することができる。
【００４１】
なお、本実施例において、開口２８及び２９を第２ポート５（キャニスタ側）に連通させ、連通路４４を第１ポート４（タンク側）に連通させてもよい。その場合、弁プレート２６は正圧リリーフ弁２０の弁体を兼ねることになる。
【００４２】
〔変形例〕
実施例のリリーフ弁装置１は、タンク密閉弁２に用いられるものであったが、これに限らず、正圧リリーフ弁２０と負圧リリーフ弁２１とが必要な機器に適用することができる。
【符号の説明】
【００４３】
１    リリーフ弁装置
１８  圧力室
１９  ハウジング
２０  正圧リリーフ弁
２１  負圧リリーフ弁
２２  正圧開弁圧調整手段
２３  負圧開弁圧調整手段
２５  ハウジング本体
２６  弁プレート
３１  第１の弁口
３２  第２の弁口
４０  台座プレート
４１  調整ネジ
Ｔ    燃料タンク（圧力容器）
【図１】
0005573891.tif 000002
【図２】
0005573891.tif 000003
【図３】
0005573891.tif 000004
【図４】
0005573891.tif 000005
【図５】
0005573891.tif 000006
【図６】
0005573891.tif 000007
【図７】
0005573891.tif 000008
【図８】
0005573891.tif 000009
【図９】
0005573891.tif 000010